(57)【要約】【課題】  通信状況に応じて装置各部の動作を的確に制御して、消費電力を大幅に低減し得る送受信装置を実現する。【解決手段】  断続的な送信信号を処理する送信系と、断続的な受信信号を処理する受信系とを有する送受信装置において、送信系は、前段の送信機能ブロックから入力した送信信号に所定の処理を施して後段の送信機能ブロックに出力する一連の複数の送信機能ブロックを備え、受信系は、前段の受信機能ブロックから入力した受信信号に所定の処理を施して後段の受信機能ブロックに出力する一連の複数の受信機能ブロックを備え、送信機能ブロック及び受信機能ブロックはそれぞれ送信信号又は受信信号を処理する期間のみ動作するようにした。【選択図】        図１
2005151252.tif 000002
【特許請求の範囲】
【請求項１】
断続的な送信信号を処理する送信系と、断続的な受信信号を処理する受信系とを有する送受信装置において、
上記送信系は、前段の送信機能ブロックから入力した上記送信信号に所定の処理を施して後段の送信機能ブロックに出力する一連の複数の送信機能ブロックを具え、
上記受信系は、前段の受信機能ブロックから入力した上記受信信号に所定の処理を施して後段の受信機能ブロックに出力する一連の複数の受信機能ブロックを具え、
上記送信機能ブロック及び上記受信機能ブロックは、それぞれ上記送信信号又は受信信号を処理する期間のみ動作する
ことを特徴とする送受信装置。
【請求項２】
上記送信機能ブロックは、処理後の上記送信信号を後段の上記送信機能ブロックに出力する間、当該後段の上記送信機能ブロックを起動させることにより、当該後段の送信機能ブロックを、上記送信信号を処理する期間のみ動作させ、
上記受信機能ブロックは、処理後の上記受信信号を後段の上記受信機能ブロックに出力する間、当該後段の上記受信機能ブロックを起動させることにより、当該後段の受信機能ブロックを、上記受信信号を処理する期間のみ動作させる
ことを特徴とする請求項１に記載の送受信装置。
【請求項３】
上記送信機能ブロック及び受信機能ブロックは、それぞれ後段の上記送信機能ブロック及び受信機能ブロックに対してクロックを供給及び供給停止することにより、当該後段の送信機能ブロック及び受信機能ブロックを動作及び動作停止させる
ことを特徴とする請求項２に記載の送受信装置。
【請求項４】
上記複数の送信機能ブロックの動作を制御する送信系制御手段と、
上記複数の受信機能ブロックの動作を制御する受信系制御手段と
を具え、
上記複数の送信機能ブロックのうちの特定の送信機能ブロックは、処理後の上記送信信号を後段の上記送信機能ブロックに出力する間、上記送信系制御手段に対して起動準備信号を出力し、
上記複数の受信機能ブロックのうちの特定の受信機能ブロックは、処理後の上記受信信号を後段の上記受信機能ブロックに出力する間、上記受信系制御手段に対して起動準備信号を出力し、
上記送信系制御手段は、上記起動準備信号に応じて上記特定の送信機能ブロック以降の上記送信機能ブロックを起動させることにより、当該特定の送信機能ブロック以降の上記送信機能ブロックを、それぞれ上記送信信号を処理する期間のみ動作させ、
上記受信系制御手段は、上記起動準備信号に応じて上記特定の受信機能ブロック以降の上記受信機能ブロックを起動させることにより、当該特定の受信機能ブロック以降の上記受信機能ブロックを、それぞれ上記受信信号を処理する期間のみ動作させる
ことを特徴とする請求項１に記載の送受信装置。
【請求項５】
上記送信系制御手段及び受信系制御手段は、それぞれ上記送信機能ブロック及び受信機能ブロックに対してクロックを供給及び供給停止することにより、当該送信機能ブロック及び受信機能ブロックを動作及び動作停止させる
ことを特徴とする請求項４に記載の送受信装置。
【請求項６】
断続的な送信信号に所定の処理を施して後段の送信機能ブロックに出力する一連の複数の送信機能ブロック
を具え、
上記送信機能ブロックは、それぞれ上記送信信号を処理する期間のみ動作する
ことを特徴とする送信装置。
【請求項７】
上記送信機能ブロックは、処理後の上記送信信号を後段の上記送信機能ブロックに出力する間、当該後段の上記送信機能ブロックを起動させることにより、当該後段の送信機能ブロックを、上記送信信号を処理する期間のみ動作させる
ことを特徴とする請求項６に記載の送信装置。
【請求項８】
上記送信機能ブロックは、後段の上記送信機能ブロックに対してクロックを供給及び供給停止することにより、当該後段の送信機能ブロックを動作及び動作停止させる
ことを特徴とする請求項７に記載の送信装置。
【請求項９】
上記複数の送信機能ブロックの動作を制御する送信系制御手段
を具え、
上記複数の送信機能ブロックのうちの特定の送信機能ブロックは、処理後の上記送信信号を後段の上記送信機能ブロックに出力する間、上記送信系制御手段に対して起動準備信号を出力し、
上記送信系制御手段は、上記起動準備信号に応じて上記特定の送信機能ブロック以降の上記送信機能ブロックを起動させることにより、当該特定の送信機能ブロック以降の上記送信機能ブロックを、それぞれ上記送信信号を処理する期間のみ動作させる
ことを特徴とする請求項６に記載の送信装置。
【請求項１０】
上記送信系制御手段は、上記送信機能ブロックに対してクロックを供給及び供給停止することにより、当該送信機能ブロックを動作及び動作停止させる
ことを特徴とする請求項９に記載の送信装置。
【請求項１１】
断続的な受信信号に所定の処理を施して後段の受信機能ブロックに出力する一連の複数の受信機能ブロック
を具え、
上記受信機能ブロックは、それぞれ上記受信信号を処理する期間のみ動作する
ことを特徴とする受信装置。
【請求項１２】
上記受信機能ブロックは、処理後の上記受信信号を後段の上記受信機能ブロックに出力する間、当該後段の上記受信機能ブロックを起動させることにより、当該後段の受信機能ブロックを、上記受信信号を処理する期間のみ動作させる
ことを特徴とする請求項１１に記載の受信装置。
【請求項１３】
上記受信機能ブロックは、後段の上記受信機能ブロックに対してクロックを供給及び供給停止することにより、当該後段の受信機能ブロックを動作及び動作停止させる
ことを特徴とする請求項１２に記載の受信装置。
【請求項１４】
上記複数の受信機能ブロックの動作を制御する受信系制御手段
を具え、
上記複数の受信機能ブロックのうちの特定の受信機能ブロックは、処理後の上記受信信号を後段の上記受信機能ブロックに出力する間、上記受信系制御手段に対して起動準備信号を出力し、
上記受信系制御手段は、上記起動準備信号に応じて上記特定の受信機能ブロック以降の上記受信機能ブロックを起動させることにより、当該特定の受信機能ブロック以降の上記受信機能ブロックを、それぞれ上記受信信号を処理する期間のみ動作させる
ことを特徴とする請求項１１に記載の受信装置。
【請求項１５】
上記受信系制御手段は、上記受信機能ブロックに対してクロックを供給及び供給停止することにより、当該受信機能ブロックを動作及び動作停止させる
ことを特徴とする請求項１４に記載の受信装置。
【発明の詳細な説明】
【技術分野】
【０００１】
本発明は送受信装置に関し、例えば無線ＬＡＮ（Local Area Network）端末に適用して好適なものである。
【背景技術】
【０００２】
従来、無線ＬＡＮ端末等の無線送受信装置の省電力化方法として、受信信号の受信電力を検出し、当該受信電力が所定の閾値以上のとき、受信系回路を動作させる方法が提案されている（例えば、特許文献１参照）。
【特許文献１】特許第２７０００００号公報
【発明の開示】
【発明が解決しようとする課題】
【０００３】
しかしながら上述した省電力化方法では、単に送信時において受信系回路の各機能ブロックを一斉に動作停止させるとともに、受信時において送信系回路の各機能ブロックを一斉に動作停止させるのみであり、送受信系回路の各機能ブロックそれぞれの動作については考慮されていない。
【０００４】
近年のディジタル送受信装置、特にＯＦＤＭ（Orthogonal Frequency Division Multiplex）方式を用いたディジタル送受信装置においては、送受信系回路の各機能ブロックが多段に渡り、また各機能ブロックの信号処理時の消費電力が大きいため、上述した省電力化方法では十分な省電力効果を得られないという問題があった。
【０００５】
本発明は以上の点を考慮してなされたもので、通信状況に応じて装置各部の動作を的確に制御し、消費電力を大幅に低減し得る送受信装置を提案しようとするものである。
【課題を解決するための手段】
【０００６】
かかる課題を解決するため本発明においては、断続的な送信信号を処理する送信系と、断続的な受信信号を処理する受信系とを有する送受信装置において、送信系は、前段の送信機能ブロックから入力した送信信号に所定の処理を施して後段の送信機能ブロックに出力する一連の複数の送信機能ブロックを備え、受信系は、前段の受信機能ブロックから入力した受信信号に所定の処理を施して後段の受信機能ブロックに出力する一連の複数の受信機能ブロックを備え、送信機能ブロック及び受信機能ブロックはそれぞれ送信信号又は受信信号を処理する期間のみ動作するようにした。
【０００７】
そして、送信機能ブロックは、処理後の送信信号を後段の送信機能ブロックに出力する間、当該後段の送信機能ブロックを起動させることにより、当該後段の送信機能ブロックを送信信号を処理する期間のみ動作させ、受信機能ブロックは、処理後の受信信号を後段の受信機能ブロックに出力する間、当該後段の受信機能ブロックを起動させることにより、当該後段の受信機能ブロックを受信信号を処理する期間のみ動作させるようにした。
【０００８】
また、複数の送信機能ブロックの動作を制御する送信系制御手段と、複数の受信機能ブロックの動作を制御する受信系制御手段とを設け、複数の送信機能ブロックのうちの特定の送信機能ブロックは、処理後の送信信号を後段の送信機能ブロックに出力する間、送信系制御手段に対して起動準備信号を出力し、複数の受信機能ブロックのうちの特定の受信機能ブロックは、処理後の受信信号を後段の受信機能ブロックに出力する間、受信系制御手段に対して起動準備信号を出力するようにした。
【０００９】
そして、送信系制御手段は、起動準備信号に応じて特定の送信機能ブロック以降の送信機能ブロックを起動させることにより、当該特定の送信機能ブロック以降の送信機能ブロックを、それぞれ送信信号を処理する期間のみ動作させ、受信系制御手段は、上記起動準備信号に応じて特定の受信機能ブロック以降の受信機能ブロックを起動させることにより、当該特定の受信機能ブロック以降の受信機能ブロックを、それぞれ受信信号を処理する期間のみ動作させるようにした。
【００１０】
前段の機能ブロックが処理後の信号を後段の機能ブロックに出力する間、当該後段の機能ブロックを動作させるようにしたことにより、処理した信号の流れに応じて各機能ブロックを順次動作させることができ、送受信装置の各機能ブロックの動作を的確に制御して消費電力を大幅に低減することができる。
【発明の効果】
【００１１】
上述のように本発明によれば、処理した信号の流れに応じて各機能ブロックを順次動作させ、通信状況に応じて装置各部の動作を的確に制御して、消費電力を大幅に低減し得る送受信装置を実現することができる。
【発明を実施するための最良の形態】
【００１２】
以下図面について、本発明の一実施の形態を詳述する。
【００１３】
（１）第１の実施の形態
図１において、１は全体として第１の実施の形態の無線ＬＡＮ端末を示し、受信装置２及び送信装置３で構成され、他の無線ＬＡＮ端末や基地局との間でＯＦＤＭ（Orthogonal Frequency Division Multiplex）方式を用いた無線データ通信を行う。
【００１４】
まず、受信装置２について説明する。図１に示すように受信装置２は、受信ＲＦ部５からアクセス制御部１３までの一連の９個の機能ブロックを有している。受信装置２の動作開始時には、複数の機能ブロックのうちの受信ＲＦ部５のみが動作しており、他の機能ブロックは全て動作停止状態にある。そして受信ＲＦ部５以降の各機能ブロックは、前段の機能ブロックから起動信号が供給されている間、動作停止状態から復帰して動作を行うようになされている。
【００１５】
すなわち受信ＲＦ部５は、他の無線ＬＡＮ端末や基地局から送信された信号をアンテナ４を介して受信すると、この受信信号Ｓ１を増幅及び周波数変換してベースバンド信号Ｓ２を生成し、後段のアナログ／ディジタル変換部（以下、Ａ／Ｄ変換部と呼ぶ）６に供給する。ここで受信ＲＦ部５は、受信信号Ｓ１の受信電力を常に監視しており、当該受信電力が所定の閾値以上にある期間中、Ａ／Ｄ変換部６にＡ／Ｄ変換部起動信号Ｓ３を出力する。
【００１６】
受信信号Ｓ１及びＡ／Ｄ変換部起動信号Ｓ３、並びにこれ以降の各起動信号の信号タイミングを図２に示す。受信信号Ｓ１は、信号の同期を取るためのプリアンブル部及びデータ部で構成される。
【００１７】
Ａ／Ｄ変換部６は、受信ＲＦ部５からＡ／Ｄ変換部起動信号Ｓ３を受け取ると、これに応じて動作停止状態から復帰して起動する。そしてＡ／Ｄ変換部５は、受信ＲＦ部５から供給されるベースバンド信号Ｓ２をディジタル変換してディジタル受信信号Ｄ１を生成し、後段の同期部７に送出する。このときＡ／Ｄ変換部５は、ディジタル受信信号Ｄ１を同期部７に送出している間、当該同期部７に対して同期部起動信号Ｓ４を出力する。
【００１８】
同期部７は、Ａ／Ｄ変換部６から同期部起動信号Ｓ４を受け取ると、これに応じて動作停止状態から復帰して起動する。そして同期部７は、Ａ／Ｄ変換部６から供給されるディジタル受信信号Ｄ１のプリアンブル部分を用いて当該ディジタル受信信号Ｄ１に対する同期を確立し、さらに同期を確立したディジタル受信信号Ｄ１のうちのデータ部のみを、後段のＦＦＴ（Fast Fourier Transform）部８に送出する。
【００１９】
このとき同期部７は、ディジタル受信信号Ｄ１をＦＦＴ部８に送出している間、当該ＦＦＴ部８に対してＦＦＴ部起動信号Ｓ５を出力するとともに、ディジタル受信信号Ｄ１に対する同期に失敗した場合、ＦＦＴ部起動信号Ｓ５の出力を停止する。
【００２０】
ＦＦＴ部８は、同期部７からＦＦＴ部起動信号Ｓ５を受け取ると、これに応じて動作停止状態から復帰して起動する。そしてＦＦＴ部８は、同期部７から供給されるディジタル受信信号Ｄ１に対して高速フーリエ変換処理を施すことにより、信号を時間領域から周波数領域に変換して受信データＤ２を生成し、これを後段のデマッパ部９に送出する。このときＦＦＴ部８は、受信データＤ２をデマッパ部９に送出している間、当該デマッパ部９に対してデマッパ部起動信号Ｓ６を出力する。
【００２１】
デマッパ部９は、ＦＦＴ部８からデマッパ部起動信号Ｓ６を受け取ると、これに応じて動作停止状態から復帰して起動する。そしてデマッパ部９は、受信データＤ２に対してＩ信号（同相成分）及びＱ信号（直交成分）のデマッピングを行って受信データＤ３を復調し、これを後段のデインタリーブ部１０に送出する。このときデマッパ部９は、受信データＤ３をデインタリーブ部１０に送出している間、当該デインタリーブ部１０に対してデインタリーブ部起動信号Ｓ７を出力する。
【００２２】
デインタリーブ部１０は、デマッパ部９からデインタリーブ部起動信号Ｓ７を受け取ると、これに応じて動作停止状態から復帰して起動する。そしてデインタリーブ部１０は、受信データＤ３に対して所定のデインタリーブ処理を施すことにより、送信時に施されたデータの拡散を復元し、後段のＦＥＣ（Forward Error Correction）部１１に送出する。このときデインタリーブ部１０は、受信データＤ３をＦＥＣ部１１に送出している間、当該ＦＥＣ部１１に対してＦＥＣ部起動信号Ｓ８を出力する。
【００２３】
ＦＥＣ部１１は、デインタリーブ部１０からＦＥＣ部起動信号Ｓ８を受け取ると、これに応じて動作停止状態から復帰して起動する。そしてＦＥＣ部１１は、受信データＤ３に対して所定の誤り訂正処理を施して後段のデスクランブル部１２に送出する。このときＦＥＣ部１１は、受信データＤ３をデスクランブル部１１に送出している間、当該デスクランブル部１２に対してデスクランブル部起動信号Ｓ９を出力するとともに、受信データＤ３に対する誤り訂正に失敗した場合、デスクランブル部起動信号Ｓ９の出力を停止する。
【００２４】
デスクランブル部１２は、ＦＥＣ部１１からデスクランブル部起動信号Ｓ９を受け取ると、これに応じて動作停止状態から復帰して起動する。そしてデスクランブル部１２は、受信データＤ３に施されていたスクランブルを解除するデスクランブル処理を行い、アクセス制御部１３に送出する。このときデスクランブル部１２は、受信データＤ３をアクセス制御部１３に送出している間、当該アクセス制御部１３に対してアクセス制御部起動信号Ｓ１０を出力する。
【００２５】
アクセス制御部１３は、デスクランブル部１２からアクセス制御部起動信号Ｓ１０を受け取ると、これに応じて動作停止状態から復帰して起動する。そしてアクセス制御部１３は、受信データＤ３を所定のフォーマットに変換し、外部のパーソナルコンピュータ等の情報処理装置に出力する。
【００２６】
かくして無線ＬＡＮ端末１の受信装置２は、受信信号Ｓ１を受信すると、受信ＲＦ部５を起点とし、処理したデータの流れに応じて順次後段の機能ブロックを起動していく。そして受信装置２の各機能ブロックは、データの処理を終了すると、起動信号の出力を停止した後に自身の動作を停止する。
【００２７】
次に、送信装置３について説明する。図１に示すように送信装置３は、アクセス制御部１４から送信ＲＦ部２２までの一連の９個の機能ブロックを有している。送信装置３の動作開始時には、複数の機能ブロックのうちのアクセス制御部１４のみが動作しており、他の機能ブロックは全て動作停止状態にある。そしてアクセス制御部１４以降の各機能ブロックは、受信装置２と同様に、前段の機能ブロックから起動信号が供給されている間、動作停止状態から復帰して動作を行うようになされている。
【００２８】
すなわちアクセス制御部１４は、外部の情報処理装置から送信データＤ１０が供給されると、これを所定フォーマットに変換し、後段のスクランブル部１５に送出する。このときアクセス制御部１４は、送信データＤ１０をスクランブル部１５に送出している間、当該スクランブル部１５に対してスクランブル部起動信号Ｓ１１を出力する。送信データＤ１０及びスクランブル部起動信号Ｓ１１、並びにこれ以降の各起動信号の信号タイミングを図３に示す。
【００２９】
スクランブル部１５は、アクセス制御部１４からスクランブル部起動信号Ｓ１１を受け取ると、これに応じて動作停止状態から復帰して起動する。そしてスクランブル部１５は、送信データＤ１０に対してスクランブル処理を行い、後段のコーディング部１６に送出する。このときスクランブル部１５は、送信データＤ１０をコーディング部１６に送出している間、当該コーディング部１６に対してコーディング部起動信号Ｓ１２を出力する。
【００３０】
コーディング部１６は、スクランブル部１５からコーディング部起動信号Ｓ１２を受け取ると、これに応じて動作停止状態から復帰して起動する。そしてコーディング部１６は、送信データＤ１０に対して誤り訂正情報を付加し、これを後段のインタリーブ部１７に送出する。このときコーディング部１６は、送信データＤ１０をインタリーブ部１７に送出している間、当該インタリーブ部１７に対してインタリーブ部起動信号Ｓ１３を出力する。
【００３１】
インタリーブ部１７は、コーディング部１６からインタリーブ部起動信号Ｓ１３を受け取ると、これに応じて動作停止状態から復帰して起動する。そしてインタリーブ部１７は、送信データＤ１０に対して所定のインタリーブ処理を施すことによりデータの配置を拡散し、後段のマッパ部１８に送出する。このときインタリーブ部１７は、送信データＤ１０をマッパ部１８に送出している間、当該マッパ部１８に対してマッパ部起動信号Ｓ１４を出力する。
【００３２】
マッパ部１８は、インタリーブ部１７からマッパ部起動信号Ｓ１４を受け取ると、これに応じて動作停止状態から復帰して起動する。そしてマッパ部１８は、送信データＤ１０に対してＩＱ変調するためのマッピング処理を施し、後段のＩＦＦＴ（Inverse FFT）部１９に送出する。このときマッパ部１８は、送信データＤ１０をＩＦＦＴ部１９に送出している間、当該ＩＦＦＴ部１９に対してＩＦＦＴ部起動信号Ｓ１５を出力する。
【００３３】
ＩＦＦＴ部１９は、マッパ部１８からＩＦＦＴ部起動信号Ｓ１５を受け取ると、これに応じて動作停止状態から復帰して起動する。そしてＩＦＦＴ部１９は、マッパ部１８から供給される送信データＤ１０に対して逆高速フーリエ変換処理を施すことにより、データを周波数領域から時間領域に変換してディジタル送信信号Ｄ１１を生成し、これを後段のＩＱ変調部２０に送出する。このときＩＦＦＴ部１９は、ディジタル送信信号Ｄ１１をＩＱ変調部２０に送出している間、当該ＩＱ変調部２０に対してＩＱ変調部起動信号Ｓ１６を出力する。
【００３４】
ＩＱ変調部２０は、ＩＦＦＴ部１９からＩＱ変調部起動信号Ｓ１６を受け取ると、これに応じて動作停止状態から復帰して起動する。そしてＩＱ変調部２０は、ディジタル送信信号Ｄ１１に対してＩＱ変調を施し、後段のＤ／Ａ変換部２１に送出する。このときＩＱ変調部２０は、ディジタル送信信号Ｄ１１をＤ／Ａ変換部２１に送出している間、当該Ｄ／Ａ変換部２１に対してＤ／Ａ変換部起動信号Ｓ１７を出力する。
【００３５】
Ｄ／Ａ変換部２１は、ＩＱ変調部２０からＤ／Ａ変換部起動信号Ｓ１７を受け取ると、これに応じて動作停止状態から復帰して起動する。そしてＤ／Ａ変換部２１は、ディジタル送信信号Ｄ１１に対してアナログ変換処理を施してベースバンド信号Ｓ２０を生成し、これを後段の送信ＲＦ部２２に送出する。このときＤ／Ａ変換部２１は、ベースバンド信号Ｓ２０を送信ＲＦ部２２に送出している間、当該送信ＲＦ部２２に対して送信ＲＦ部起動信号Ｓ１８を出力する。
【００３６】
送信ＲＦ部２２は、Ｄ／Ａ変換部２１から送信ＲＦ部起動信号Ｓ１８を受け取ると、これに応じて動作停止状態から復帰して起動する。そして送信ＲＦ部２１は、ベースバンド信号Ｓ２０に対して周波数変換処理を施した後増幅して送信信号Ｓ２１を生成し、アンテナ２３を介して他の無線ＬＡＮ端末や基地局に送信する。
【００３７】
かくして無線ＬＡＮ端末１の送信装置３は、外部の情報処理装置から送信データＤ１０が供給されると、アクセス制御部１４を起点とし、処理したデータの流れに応じて順次後段の機能ブロックを起動していく。そして送信装置３の各機能ブロックは、データの処理を終了すると、起動信号の出力を停止した後に自身の動作を停止する。
【００３８】
次に、上述した受信装置２及び送信装置３の各機能ブロックにおける起動及び動作停止を制御する動作制御処理手順を、図４に示すフローチャートを用いて詳細に説明する。
【００３９】
すなわち図４において、受信装置２及び送信装置３の各機能ブロックのブロック制御部（図示せず）は、ルーチンＲＴ１の開始ステップから入ってステップＳＰ１に移る。ステップＳＰ１においてブロック制御部は、前段の機能ブロックからの起動信号の供給を監視し、当該前段の機能ブロックから起動信号が供給されたことを検出すると、次のステップＳＰ２に移る。
【００４０】
ステップＳＰ２においてブロック制御部は、起動信号に応じて機能ブロックの動作を開始させ、次のステップＳＰ３に移る。この状態において各機能ブロックは、前段の機能ブロックから供給される信号又はデータに対する所定の処理を実行する。
【００４１】
ステップＳＰ３においてブロック制御部は、前段の機能ブロックからの起動信号の供給停止を監視する。ステップＳＰ３において起動信号の供給停止を検出した場合、ブロック制御部はステップＳＰ７に移り、起動信号の供給を監視し、当該前段のブロックから起動信号が供給されたことを検出すると、次のステップＳＰ４に移る。なお、ステップＳＰ４は同期部７及びＦＥＣ部１０のブロック制御部のみが実行し、他の機能ブロックのブロック制御部は当該ステップを実行しない。
【００４２】
ステップＳＰ４において、同期部７及びＦＥＣ部１０のブロック制御部は、機能ブロックが実行中の処理にエラーが発生していないかの判断を行う。ステップＳＰ４において、実行中の処理にエラーが発生した場合、ブロック制御部はステップＳＰ９に移る。これに対してステップＳＰ４において、実行中の処理にエラーが発生していない場合、ブロック制御部は次のステップＳＰ５に移る。
【００４３】
ステップＳＰ５において各機能ブロックのブロック制御部は、後段の機能ブロックに出力する処理後の信号又はデータの有無を判断する。ステップＳＰ５において、後段のブロックに出力する信号又はデータが無い場合、ブロック制御部はステップＳＰ４に戻る。これに対してステップＳＰ５において、後段の機能ブロックに出力する信号又はデータがある場合、ブロック制御部は次のステップＳＰ６に移る。
【００４４】
ステップＳＰ６においてブロック制御部は、後段の機能ブロックに対する起動信号の出力を開始して次のステップＳＰ７に移り、後段の機能ブロックに対する処理後の信号又はデータの出力を開始する。
【００４５】
そして、次のステップＳＰ８においてブロック制御部は、後段の機能ブロックに出力する処理後の信号又はデータが終了したか否かを判断する。ステップＳＰ８において、後段の機能ブロックに出力する信号又はデータが終了していない場合、ブロック制御部はステップＳＰ４に戻る。これに対してステップＳＰ８において、後段の機能ブロックに出力する信号又はデータが終了した場合、ブロック制御部は次のステップＳＰ９に移る。
【００４６】
ステップＳＰ９においてブロック制御部は、後段の機能ブロックに対する起動信号の出力を停止して次のステップＳＰ７に移り、自身の動作を停止した後ステップＳＰ１に戻る。
【００４７】
このようにして受信装置２及び送信装置３の各機能ブロックは、前段の機能ブロックからの起動信号に応じて起動し、当該前段の機能ブロックから供給される信号又はデータを処理し、起動信号とともに後段の機能ブロックに送出する。
【００４８】
そして受信装置２及び送信装置３の各機能ブロックは、前段の機能ブロックからの起動信号が停止するか、後段の機能ブロックに出力する信号又はデータが終了した場合、さらには、実行中の処理にエラーが生じた場合（同期部７及びＦＥＣ部１０のみ）、起動信号を停止して後段の機能ブロックの動作を停止させるとともに、自身の機能ブロックの動作を停止させる。
【００４９】
以上の構成において、無線ＬＡＮ端末１の受信装置２は、初期状態では受信ＲＦ部５以外の各機能ブロックが動作停止状態にある。そして、受信ＲＦ部５は受信信号Ｓ１を受信すると、当該受信信号Ｓ１に対して増幅及び周波数変換処理を施してベースバンド信号Ｓ２を生成し、これをＡ／Ｄ変換部起動信号Ｓ３とともに後段のＡ／Ｄ変換部６に送出する。
【００５０】
受信ＲＦ部５以降の各機能ブロックは、前段からの起動信号に応じて起動し、当該前段から供給される信号又はデータを処理し、起動信号とともに後段の機能ブロックに送出する。これにより受信装置２は、受信信号Ｓ１の受信に応じて、受信ＲＦ部５を起点とし、データの流れに応じて順次後段の機能ブロックを起動していく。
【００５１】
そして受信装置２の各機能ブロックは、データの処理を終了すると、起動信号の出力を停止した後、自身の動作を停止する。これにより受信装置２の各機能ブロックは、その動作を順次停止していく。
【００５２】
同様に無線ＬＡＮ端末１の送信装置３は、初期状態として、アクセス制御部１４以外の各機能ブロックが動作停止状態にある。送信装置３のアクセス制御部１４は、外部の情報処理装置から送信データＤ１０が供給されると、当該送信データＤ１０を所定フォーマットに変換し、これをスクランブル部起動信号Ｓ１１とともに後段のスクランブル部１５に送出する。
【００５３】
スクランブル部１５以降の各機能ブロックは、前段からの起動信号に応じて起動し、当該前段から供給される信号又はデータを処理し、起動信号とともに後段の機能ブロックに送出する。これにより送信装置２は、送信データＤ１０の供給に応じて、アクセス制御部１４を起点とし、データの流れに応じて順次後段の機能ブロックを起動していく。
【００５４】
そして送信装置３の各機能ブロックは、データの処理を終了すると、起動信号の出力を停止した後、自身の動作を停止する。これにより送信装置３の各機能ブロックは、その動作を順次停止していく。
【００５５】
このように、受信装置２及び送信装置３を構成する各機能ブロックは、それぞれがデータを処理する期間のみ自律的に動作する。これにより、受信装置２及び送信装置３の各機能ブロックの動作期間を最小限にすることができ、受信装置２及び送信装置３全体の消費電力を大幅に削減することができる。
【００５６】
また、受信装置２及び送信装置３の各機能ブロックが、前段からの起動信号に応じて起動するとともに、後段の機能ブロックに起動信号を送出するようにしたことにより、受信装置２及び送信装置３の各機能ブロックの起動及び停止を制御する制御手段を別途設けることなく、簡易な構成で、受信装置２及び送信装置３の全体の消費電力を大幅に削減することができる。
【００５７】
さらに、受信装置２の受信ＲＦ部５、同期部７及びＦＥＣ部１０は、その動作中にそれぞれ受信電力の低下、同期の失敗及び誤り訂正の失敗が発生した場合、後段の機能ブロックに対する信号又はデータを送出停止するとともに、起動信号の出力を停止して後段の機能ブロックの動作を停止させた後、自身の動作を停止する。これにより後段の機能ブロックは、その動作を順次停止していく。
【００５８】
このため受信装置２は、例えばＳ／Ｎ比の低下等の原因によって受信信号Ｓ１に対する処理を継続し得なくなった場合、速やかに各機能ブロックの動作を停止し、これにより無線ＬＡＮ端末１全体の消費電力を削減することができる。
【００５９】
（２）第２の実施の形態
図１との共通部分に同一符号を付して示す図５において、３０は全体として第２の実施の形態の無線ＬＡＮ端末を示し、受信装置３１及び送信装置３２がそれぞれ受信タイミング制御部３３及び送信タイミング制御部３４を有する以外は、第１の実施の形態の無線ＬＡＮ端末１と同一である。
【００６０】
そして、第１の実施の形態の無線ＬＡＮ端末１では、受信装置２及び送信装置３の各機能ブロックが後段の機能ブロックに対する起動信号を出力するのに対し、この第２の実施の形態の無線ＬＡＮ端末３０では、受信タイミング制御部３３及び送信タイミング制御部３４が、それぞれ受信装置３１及び送信装置３２の各機能ブロックに対して起動信号を出力する点で相違する。
【００６１】
まず、受信装置３１の構成について説明する。受信装置３１の動作開始時には、受信ＲＦ部５及び受信タイミング制御部３３のみが動作しており、他の機能ブロックは全て動作停止状態にある。受信ＲＦ部５は、他の無線ＬＡＮ端末や基地局から送信された信号をアンテナ４を介して受信すると、この受信信号Ｓ１を増幅及び周波数変換してベースバンド信号Ｓ２を生成し、後段のＡ／Ｄ変換部６に供給する。ここで受信ＲＦ部５は、受信信号Ｓ１の受信電力を常に監視しており、当該受信電力が所定の閾値以上にある期間中、受信タイミング制御部３３に対して起動準備信号としての受信検出信号Ｓ３０を出力する。
【００６２】
受信タイミング制御部３３は、受信ＲＦ部５から起動準備信号としての受信検出信号Ｓ３０を受け取ると、これに応じて、受信ＲＦ部５の後段機能ブロックであるＡ／Ｄ変換部６に対してＡ／Ｄ変換部起動信号Ｓ３を出力する。
【００６３】
Ａ／Ｄ変換部６は、受信タイミング制御部３３からＡ／Ｄ変換部起動信号Ｓ３を受け取ると、これに応じて動作停止状態から復帰して起動する。そしてＡ／Ｄ変換部５は、受信ＲＦ部５から供給されるベースバンド信号Ｓ２をディジタル変換してディジタル受信信号Ｄ１を生成し、後段の同期部７に送出する。このとき受信タイミング制御部３３は、受信検出信号Ｓ３０に基づき、受信ＲＦ部５からディジタル受信信号Ｄ１が送出されているタイミングに同期して、同期部７に対して同期部起動信号Ｓ４を出力する。
【００６４】
同期部７は、受信タイミング制御部３３から同期部起動信号Ｓ４を受け取ると、これに応じて動作停止状態から復帰して起動する。そして同期部７は、Ａ／Ｄ変換部６から供給されるディジタル受信信号Ｄ１のプリアンブル部分を用いて当該ディジタル受信信号Ｄ１に対する同期を確立し、さらに同期を確立したディジタル受信信号Ｄ１のうちのデータ部のみを、後段のＦＦＴ部８に送出する。このとき同期部７は、ディジタル受信信号Ｄ１に対する同期を確立している間、受信タイミング制御部３３に対して起動準備信号としての同期確立信号Ｓ３１を出力する。
【００６５】
受信タイミング制御部３３は、同期部７から起動準備信号としての同期確立信号Ｓ３１を受け取ると、これに応じて、同期部７の後段機能ブロックであるＦＦＴ部８に対してＦＦＴ部起動信号Ｓ５を出力する。
【００６６】
ＦＦＴ部８は、受信タイミング制御部３３からＦＦＴ部起動信号Ｓ５を受け取ると、これに応じて動作停止状態から復帰して起動する。そしてＦＦＴ部８は、同期部７から供給されるディジタル受信信号Ｄ１に対して高速フーリエ変換処理を施すことにより、信号を時間領域から周波数領域に変換して受信データＤ２を生成し、これを後段のデマッパ部９に送出する。このとき受信タイミング制御部３３は、同期確立信号Ｓ３１に基づき、ＦＦＴ部８から受信データＤ２が送出されているタイミングに同期して、デマッパ部９に対してデマッパ部起動信号Ｓ６を出力する。
【００６７】
デマッパ部９は、受信タイミング制御部３３からデマッパ部起動信号Ｓ６を受け取ると、これに応じて動作停止状態から復帰して起動する。そしてデマッパ部９は、受信データＤ２に対してＩ信号及びＱ信号のデマッピングを行って受信データＤ３を復調し、これを後段のデインタリーブ部１０に送出する。このとき受信タイミング制御部３３は、同期確立信号Ｓ３１に基づき、デマッパ部９から受信データＤ３が送出されているタイミングに同期して、デインタリーブ部１０に対してデインタリーブ部起動信号Ｓ７を出力する。
【００６８】
デインタリーブ部１０は、受信タイミング制御部３３からデインタリーブ部起動信号Ｓ７を受け取ると、これに応じて動作停止状態から復帰して起動する。そしてデインタリーブ部１０は、受信データＤ３に対してデインタリーブ処理を施すことにより、送信時に施されたデータの拡散を復元し、後段のＦＥＣ部１１に送出する。このとき受信タイミング制御部３３は、同期確立信号Ｓ３１に基づき、デインタリーブ部１０から受信データＤ３が送出されているタイミングに同期して、ＦＥＣ部１１に対してＦＥＣ部起動信号Ｓ８を出力する。
【００６９】
ＦＥＣ部１１は、受信タイミング制御部３３からＦＥＣ部起動信号Ｓ８を受け取ると、これに応じて動作停止状態から復帰して起動する。そしてＦＥＣ部１１は、受信データＤ３に対して誤り訂正処理を施して後段のデスクランブル部１２に送出する。このときＦＥＣ部１１は、受信データＤ３に対する誤り訂正に成功している間、受信タイミング制御部３３に対して起動準備信号としての誤り訂正成功信号Ｓ３２を出力する。
【００７０】
受信タイミング制御部３３は、ＦＥＣ部１１から起動準備信号としての誤り訂正成功信号Ｓ３２を受け取ると、これに応じて、ＦＥＣ部１１の後段機能ブロックであるデスクランブル部１１に対してデスクランブル部起動信号Ｓ９を出力する。
【００７１】
デスクランブル部１２は、受信タイミング制御部３３からデスクランブル部起動信号Ｓ９を受け取ると、これに応じて動作停止状態から復帰して起動する。そしてデスクランブル部１２は、受信データＤ３に対してデスクランブル処理を行い、アクセス制御部１３に送出する。このとき受信タイミング制御部３３は、誤り訂正成功信号Ｓ３２に基づき、デスクランブル部１２から受信データＤ３が送出されているタイミングに同期して、アクセス制御部１３に対してアクセス制御部起動信号Ｓ１０を出力する。
【００７２】
アクセス制御部１３は、受信タイミング制御部３３からアクセス制御部起動信号Ｓ１０を受け取ると、これに応じて動作停止状態から復帰して起動する。そしてアクセス制御部１３は、受信データＤ３を所定のフォーマットに変換し、外部のパーソナルコンピュータ等の情報処理装置に出力する。
【００７３】
次に、送信装置３２の構成について説明する。送信装置３２の起動開始時には、アクセス制御部１４及び送信タイミング制御部３４のみが動作しており、他の機能ブロックは全て動作停止状態にある。アクセス制御部１４は、外部の情報処理装置から送信データＤ１０が入力されると、これを所定フォーマットに変換し、後段のスクランブル部１５に送出する。このときアクセス制御部１４は、送信すべき信号が入力されたことを示す起動準備信号としての送信準備信号Ｓ３３を送信タイミング制御部３４に出力する。
【００７４】
送信タイミング制御部３４は、アクセス制御部１４から起動準備信号としての送信準備信号Ｓ３３を受け取ると、これに応じて、アクセス制御部１４から送信データＤ１０が送出されているタイミングに同期して、スクランブル部１５に対してスクランブル部起動信号Ｓ１１を出力する。
【００７５】
スクランブル部１５は、送信タイミング制御部３４からスクランブル部起動信号Ｓ１１を受け取ると、これに応じて動作停止状態から復帰して起動する。そしてスクランブル部１５は、送信データＤ１０に対してスクランブル処理を行い、後段のコーディング部１６に送出する。このとき送信タイミング制御部３３は、送信準備信号Ｓ３３に基づき、スクランブル部１５から送信データＤ１０が送出されているタイミングに同期して、コーディング部１６に対してコーディング部起動信号Ｓ１２を出力する。
【００７６】
コーディング部１６は、送信タイミング制御部３４からコーディング部起動信号Ｓ１２を受け取ると、これに応じて動作停止状態から復帰して起動する。そしてコーディング部１６は、送信データＤ１０に対して誤り訂正符号を付加し、これを後段のインタリーブ部１７に送出する。このとき送信タイミング制御部３４は、送信準備信号Ｓ３３に基づき、コーディング部１６から送信データＤ１０が送出されているタイミングに同期して、インタリーブ部１７に対してインタリーブ部起動信号Ｓ１３を出力する。
【００７７】
インタリーブ部１７は、送信タイミング制御部３４からインタリーブ部起動信号Ｓ１３を受け取ると、これに応じて動作停止状態から復帰して起動する。そしてインタリーブ部１６は、送信データＤ１０に対してインタリーブ処理を施すことによりデータの配置を拡散し、後段のマッパ部１８に送出する。このとき送信タイミング制御部３４は、送信準備信号Ｓ３３に基づき、インタリーブ部１７から送信データＤ１０が送出されているタイミングに同期して、マッパ部１８に対してマッパ部起動信号Ｓ１４を出力する。
【００７８】
マッパ部１８は、送信タイミング制御部３４からマッパ部起動信号Ｓ１４を受け取ると、これに応じて動作停止状態から復帰して起動する。そしてマッパ部１８は、送信データＤ１０に対してＩＱ変調するためのマッピング処理を施し、後段のＩＦＦＴ部１９に送出する。このとき送信タイミング制御部３４は、送信準備信号Ｓ３３に基づき、マッパ部１８から送信データＤ１０が送出されているタイミングに同期して、ＩＦＦＴ部１９に対してＩＦＦＴ部起動信号Ｓ１５を出力する。
【００７９】
ＩＦＦＴ部１９は、送信タイミング制御部３４からＩＦＦＴ部起動信号Ｓ１５を受け取ると、これに応じて動作停止状態から復帰して起動する。そしてＩＦＦＴ部１９は、マッパ部１８から供給される送信データＤ１０に対して逆高速フーリエ変換処理を施すことにより、データを周波数領域から時間領域に変換してディジタル送信信号Ｄ１１を生成し、これを後段のＩＱ変調部２０に送出する。このとき送信タイミング制御部３４は、送信準備信号Ｓ３３に基づき、ＩＦＦＴ部１９からディジタル送信信号Ｄ１１が送出されているタイミングに同期して、ＩＱ変調部２０に対してＩＱ変調部起動信号Ｓ１６を出力する。
【００８０】
ＩＱ変調部２０は、送信タイミング制御部３４からＩＱ変調部起動信号Ｓ１６を受け取ると、これに応じて動作停止状態から復帰して起動する。そしてＩＱ変調部２０は、ディジタル送信信号Ｄ１１に対してＩＱ変調を施し、後段のＤ／Ａ変換部２１に送出する。このとき送信タイミング制御部３４は、送信準備信号Ｓ３３に基づき、ＩＱ変調部２０からディジタル送信信号Ｄ１１が送出されているタイミングに同期して、Ｄ／Ａ変換部２１に対してＤ／Ａ変換部起動信号Ｓ１７を出力する。
【００８１】
Ｄ／Ａ変換部２１は、送信タイミング制御部３４からＤ／Ａ変換部起動信号Ｓ１７を受け取ると、これに応じて動作停止状態から復帰して起動する。そしてＤ／Ａ変換部２１は、ディジタル送信信号Ｄ１１に対してアナログ変換処理を施してベースバンド信号Ｓ２０を生成し、これを後段の送信ＲＦ部２２に送出する。このとき送信タイミング制御部３４は、送信準備信号Ｓ３３に基づき、Ｄ／Ａ変換部２１からベースバンド信号Ｓ２０が送出されているタイミングに同期して、送信ＲＦ部２２に対して送信ＲＦ部起動信号Ｓ１８を出力する。
【００８２】
送信ＲＦ部２２は、送信タイミング制御部３４から送信ＲＦ部起動信号Ｓ１８を受け取ると、これに応じて動作停止状態から復帰して起動する。そして送信ＲＦ部２１は、ベースバンド信号Ｓ２０に対して周波数変換処理を施した後増幅して送信信号Ｓ２１を生成し、アンテナ２３を介して他の無線ＬＡＮ端末や基地局に送信する。
【００８３】
以上の構成において、受信装置３１の受信タイミング制御部３３は、受信ＲＦ部５から起動準備信号としての受信検出信号Ｓ３０を受けると、これに応じてＡ／Ｄ変換部６及び同期部７を順次起動する。そして受信タイミング制御部３３は、同期部７から起動準備信号としての同期確立信号Ｓ３１を受けると、これに応じてＦＦＴ部８、デマッパ部９、デインタリーブ部１０及びＦＥＣ部１１を順次起動する。さらに受信タイミング制御部３３は、ＦＥＣ部１１から起動準備信号としての誤り訂正成功信号Ｓ３２を受けると、これに応じてデスクランブル部１２及びアクセス制御部１３を順次起動する。
【００８４】
同様に、送信装置３２の送信タイミング制御部３４は、アクセス制御部１４から起動準備信号としての送信準備信号Ｓ３３を受けると、これに応じて以降の機能ブロックを順次起動する。
【００８５】
また、受信ＲＦ部５における受信電力の低下、同期部７における同期の失敗又はＦＥＣ部１０における誤り訂正の失敗によって、起動準備信号としての受信検出信号Ｓ３０、同期確立信号Ｓ３１又は誤り訂正成功信号Ｓ３２が停止した場合、受信装置３１の受信タイミング制御部３３は以降の機能ブロックの動作を停止させる。このため受信装置３１は、例えばＳ／Ｎ比の低下等の原因によって受信信号Ｓ１に対する処理を継続し得なくなった場合、速やかに各機能ブロックの動作を停止し、これにより無線ＬＡＮ端末３０全体の消費電力を削減することができる。
【００８６】
以上の構成によれば、受信装置３１及び送信装置３２の各機能ブロックの動作を、それぞれ受信タイミング制御部３３及び送信タイミング制御部３４で集中的に制御することにより、受信装置３１及び送信装置３２の各機能ブロックの起動及び停止をより高速に制御することができ、これにより無線ＬＡＮ端末３０全体の消費電力をさらに削減することができる。
【００８７】
（３）第３の実施の形態
上述した第２の実施の形態においては、受信装置３１及び送信装置３２にそれぞれ個別に受信タイミング制御部３３及び送信タイミング制御部３４を設けたが、本発明はこれに限らず、受信装置及び送信装置でタイミング制御部を共用するようにしてもよい。
【００８８】
すなわち、図１及び図５との共通部分に同一符号を付して示す図６において、４０は全体として第３の実施の形態の無線ＬＡＮ端末を示し、受信装置４１及び送信装置４２を１つのタイミング制御部４３で統括的に制御するとともに、受信装置４１及び送信装置４２で共用するアクセス制御部４４及びアンテナ４５、並びにアンテナ切替器４６を有する以外は、第２の実施の形態の無線ＬＡＮ端末３０と同一である。
【００８９】
無線ＬＡＮ端末４０の動作開始時には、タイミング制御部４３及びアクセス制御部４４のみが動作している。タイミング制御部４３は、アクセス制御部４４から送信準備信号Ｓ３３が供給されていない場合、アンテナ切替器４６を受信装置４１側に切り替えるとともに受信ＲＦ部５を起動し、他の無線ＬＡＮ端末や基地局に対する待ち受けを開始する。
【００９０】
この状態においてタイミング制御部４３は、受信ＲＦ部５から受信検出信号Ｓ３０を受けると、これに応じてＡ／Ｄ変換部６及び同期部７を順次起動するとともに、当該送信検出信号Ｓ３０をアクセス制御部４４に転送する。アクセス制御部４４は送信検出信号Ｓ３０に応じて送信動作を停止する。
【００９１】
そしてタイミング制御部４３は、同期部７から同期確立信号Ｓ３１を受けると、これに応じてＦＦＴ部８、デマッパ部９、デインタリーブ部１０及びＦＥＣ部１１を順次起動する。さらにタイミング制御部４３は、ＦＥＣ部１１から誤り訂正成功信号Ｓ３２を受けると、これに応じてデスクランブル部１２及びアクセス制御部１３を順次起動する。
【００９２】
さらに、受信ＲＦ部５における受信電力の低下、同期部７における同期の失敗又はＦＥＣ部１０における誤り訂正の失敗によって、受信検出信号Ｓ３０、同期確立信号Ｓ３１又は誤り訂正成功信号Ｓ３２が停止した場合、タイミング制御部４３は以降の機能ブロックの動作を停止させる。このため受信装置４１は、例えばＳ／Ｎ比の低下等の原因によって受信信号Ｓ１に対する処理を継続し得なくなった場合、速やかに各機能ブロックの動作を停止し、これにより無線ＬＡＮ端末４０全体の消費電力を削減することができる。
【００９３】
またタイミング制御部４３は、受信ＲＦ部５から受信検出信号Ｓ３０が供給されていない状態において、アクセス制御部４４から送信準備信号Ｓ３３を受けると、これに応じてアンテナ切替器４６を送信装置４２側に切り替えるとともに、送信装置４２の各機能ブロックを順次起動して送信動作を開始する。
【００９４】
以上の構成によれば、受信装置４１及び送信装置４２の各機能ブロックの動作を、共通のタイミング制御部４３で統括して制御するようにしたことにより、簡易な構成で、無線ＬＡＮ端末４０全体の消費電力をさらに削減することができる。
【００９５】
（４）他の実施の形態
なお上述の実施の形態においては、通信方式としてＯＦＤＭ方式を用いた無線ＬＡＮ端末に本発明を適用した場合について述べたが、本発明はこれに限らず、他の種々の通信方法を用いた無線ＬＡＮ端末に適用することができる。
【００９６】
また上述の実施の形態においては、送信装置及び受信装置の各機能ブロックを制御信号によって起動及び停止するようにしたが、本発明はこれに限らず、各機能ブロックに対するクロックの供給を制御することにより各機能ブロックを起動及び停止するようにしたり、各機能ブロックに対する電源の供給を制御することにより各機能ブロックを起動及び停止するようにしてもよい。
【００９７】
また、送信装置及び受信装置の各機能ブロックが信号やデータを所定のデータ処理単位毎に断続的に処理する場合は、図７に示すように、送信装置及び受信装置の各機能ブロックを当該データ処理単位毎に断続的に動作させるようにしてもよい。
【００９８】
また上述の実施の形態においては、ＯＦＤＭ方式を用いた無線ＬＡＮ端末に本発明を適用した場合について述べたが、本発明はこれに限らず、他の種々の通信方法を用いた無線ＬＡＮ端末に適用することができる。
【００９９】
さらに上述の実施の形態においては、本発明を無線ＬＡＮ端末に適用した場合について述べたが、本発明はこれに限らず、携帯電話機等の種々の無線通信装置に適用することができ、また受信装置又は送信装置の一方のみに適用してもよい。さらには、ディジタルテレビジョン放送の受信機等、種々の受信装置に適用してもよい。
【産業上の利用可能性】
【０１００】
本発明は、無線ＬＡＮ端末や携帯電話機等の種々の送受信装置に適用できる。
【図面の簡単な説明】
【０１０１】
【図１】第１の実施の形態の無線ＬＡＮ端末の構成を示すブロック図である。
【図２】受信装置の信号タイミングを示すタイミングチャートである。
【図３】送信装置の信号タイミングを示すタイミングチャートである。
【図４】動作制御処理手順のフローチャートである。
【図５】第２の実施の形態の無線ＬＡＮ端末の構成を示すブロック図である。
【図６】第３の実施の形態の無線ＬＡＮ端末の構成を示すブロック図である。
【図７】他の実施の形態の送信装置の信号タイミングを示すタイミングチャートである。
【符号の説明】
【０１０２】
１、３０、４０……無線ＬＡＮ端末、２、３１、４１……受信装置、３、３２、４２……送信装置、４、２３、４４……アンテナ、５……受信ＲＦ部、６……Ａ／Ｄ変換部、７……同期部、８……ＦＦＴ部、９……デマッパ部、１０……デインタリーブ部、１１……ＦＥＣ部、１２……デスクランブル部、１３、１４、４６……アクセス制御部、１５……スクランブル部、１６……コーディング部、１７……インタリーブ部、１８……マッパ部、１９……ＩＦＦＴ部、２０……ＩＱ変調部、２１……Ｄ／Ａ変換部、２２……送信ＲＦ部、３３……受信タイミング制御部、３４……送信タイミング制御部、４３……タイミング制御部、４５……アンテナ切替器。
【図１】
2005151252.tif 000003
【図２】
2005151252.tif 000004
【図３】
2005151252.tif 000005
【図４】
2005151252.tif 000006
【図５】
2005151252.tif 000007
【図６】
2005151252.tif 000008
【図７】
2005151252.tif 000009